(57)【要約】【課題】部屋の広さや部屋の気密度に見合った換気風量を備えた換気装置を選択することなく、１つの換気装置で、容易に換気風量を設定することができる換気装置を提供することを目的とする【解決手段】調理器１の上方に設置されるレンジフード本体２は、内部に排気ファン３と、排気ファン３を駆動するモーター４を設け、フード本体前面には、運転モードを設定するスイッチ５とを備えた構造であって、電源６とモーター４の間に直列に接続されるコンデンサー１０の静電容量を選択することにより、「弱」の換気風量を、部屋の広さや部屋の気密度に見合った風量に設定することができる。【選択図】図１
2005090877.tif 000002
【特許請求の範囲】
【請求項１】
ファンモーターを有する換気装置であって、モーターと電源の接続線間に、直列にコンデンサーを接続できるようにし、接続するコンデンサーの静電容量を選択することにより、換気風量を設定できる換気装置。
【請求項２】
モーターと電源の接続線間に、コンデンサーを直列に接続するための接続器を設け、容易にコンデンサーを変更できる請求項１記載の換気装置。
【請求項３】
換気風量を設定するための複数のコンデンサーを換気装置の付属部品とした請求項１記載の換気装置。
【請求項４】
換気風量を設定するためのコンデンサーを容量可変形コンデンサーとした請求項１記載の換気装置。
【発明の詳細な説明】
【技術分野】
【０００１】
本発明は、送風機を有する換気装置に関するものである。
【背景技術】
【０００２】
近年、住宅内の建材から発生する有害物質を屋外に排出するため、部屋全体を２４時間連続小風量で運転する換気装置が求められている。
【０００３】
従来、この種の換気装置は、台所に設置され、調理の際に発生した油煙を屋外に排出するレンジフードで部屋全体の換気も兼ねるものもある。
【０００４】
以下、その構成について図４および図５を参照しながら説明する。
【０００５】
図４および図５に示すように、調理器１０１の上方に設置されたフード１０２の内部には、調理の際の油煙を屋外に排出するための排気ファン１０３、排気ファン１０３を駆動するためのモーター１０４、フード１０２の前面には、モーター１０４に接続されたスイッチ１０５を有し、このスイッチ１０５の操作により、ファンの入切、換気風量「強」、「中」、「弱」を選択する構成となっていた。排気ファン３の回転により、室内の空気は、排気ダクト１０６を通り、屋外へ排出される。運転モード「強」、「中」は、調理の際の油煙を屋外に排出するために使用し、「弱」は部屋全体を常時換気するために使用するものである。
【０００６】
なお、従来の文献として上記技術思想とは少し異なるが、レンジフードの構成として以下の参考文献がある。
【特許文献１】特開平９−４９６５２号公報（図１）
【発明の開示】
【発明が解決しようとする課題】
【０００７】
しかしながら、前記従来の構成では、換気装置ごとに換気風量は一定であり、「弱」の部屋全体を常時換気するために必要な換気風量は、部屋の広さや部屋の気密度により異なるため、それに見合った換気風量を備えた換気装置を選択する必要があった。
【０００８】
本発明は前記従来の課題を解決するもので、部屋の広さや部屋の気密度に見合った換気風量を備えた換気装置を選択することなく、１つの換気装置で、換気風量を容易に設定することができる換気装置を提供することを目的とする。
【課題を解決するための手段】
【０００９】
前記従来の課題を解決するために、本発明の換気装置は、ファンモーターを有する換気装置であって、モーターと電源の接続線間に、直列にコンデンサーを接続できるようにし、接続するコンデンサーの静電容量を選択することにより、換気風量を容易に設定できる構成としたものである。
【００１０】
また、モーターと電源の接続線間に、コンデンサーを直列に接続するための接続器を設け、容易にコンデンサーを変更できるようにしたものである。
【００１１】
また、換気風量を調節するための複数のコンデンサーを換気装置の付属部品としたものである。
【００１２】
また、換気風量を調節するためのコンデンサーを容量可変形コンデンサーとしたものである。
【発明の効果】
【００１３】
以上のように、本発明の換気装置によれば、ファンモーターを有する換気装置であって、モーターと電源の接続線間に、直列にコンデンサーを接続できるようにし、接続するコンデンサーの静電容量を選択することにより、部屋の広さや部屋の気密度に見合った換気風量を備えた換気装置を選択することなく、１つの換気装置で、換気風量を容易に設定することができる。
【００１４】
また、モーターと電源の接続線間に、コンデンサーを直列に接続するための接続器を設け、容易にコンデンサーを変更できるようにしたので、換気風量を容易に設定することができる。
【００１５】
また、換気風量を設定するための複数のコンデンサーを付属部品としたので、その中からコンデンサーを選択し、換気風量を容易に設定することができる。
【００１６】
また、換気風量を設定するためのコンデンサーを容量可変形コンデンサーとしたので、コンデンサーを交換することなく、容量可変形コンデンサーの静電容量を選択することにより、換気風量を容易に設定することができる。
【発明を実施するための最良の形態】
【００１７】
請求項１に記載の発明は、ファンモーターを有する換気装置であって、モーターと電源の接続線間に、直列にコンデンサーを接続できるようにし、接続するコンデンサーの静電容量を選択することにより、部屋の広さや部屋の気密度に見合った換気風量を備えた換気装置を選択することなく、１つの換気装置で、換気風量を容易に設定することができる。
【００１８】
請求項２に記載の発明は、特に請求項１に記載のモーターと電源の接続線間に、コンデンサーを直列に接続するための接続器を設け、容易にコンデンサーを変更できることにより、換気風量を容易に設定することができる。。
【００１９】
請求項３に記載の発明は、特に請求項１に記載の換気風量を設定するための複数のコンデンサーを、換気装置の付属部品とすることにより、その中からコンデンサーを選択し、換気風量を容易に設定することができる。
【００２０】
請求項４に記載の発明は、特に請求項１に記載の換気風量を設定するためのコンデンサーを、容量可変形コンデンサーとすることにより、コンデンサーを交換することなく、容量可変形コンデンサーの静電容量を選択することにより、換気風量を容易に設定することができる。
【００２１】
以下、本発明の実施の形態について、図面を参照しながら説明する。
【００２２】
（実施の形態１）
図１に示すように、調理器１の上方に設置されるレンジフード本体２は、内部に排気ファン３と、排気ファン３を駆動するモーター４を設け、調理器側となる下面に開口を有したフード本体前面の上部には、図示していないがスリット状の補助吸込み口、下部端部には運転モードを設定するため指で操作する押しボタンスイッチ５とを備えた構成とする。
【００２３】
図２に電気回路を示すように、電源６と主巻線、補助巻線、速度調節用巻線及びコンデンサーからなるモーター４（コンデンサーモータ）と、切・強・中・弱ノッチを備えたスイッチ５は、電線（リード線）でつながれており、スイッチ５を切、中、強に切り替えることにより、モーター４の運転を制御し、「切」で運転停止、「中」「強」でモーターの回転速度が中回転、強回転となり、そ換気風量を中風量、大風量に切り替えることができる。スイッチ５の「弱」の端子７と「強」の端子８間からは、電線（リード線）を介して２端子の差込み式で雌側の接続器９につながっており、雄側の接続器９の２端子は各々リード線を介してコンデンサー１０の各端子に接続されている。接続器９の雌側及び雄側は抜き差しすることで、簡単に接続できるようになっている。
【００２４】
上記により接続器９を差し込んで接続した状態で、スイッチ５を「弱」に切り替えたときは、電源６とモーター４の間にコンデンサー１０が直列に接続されることになる。この時、モーター４の回転速度はコンデンサー１０を直列接続していない通常運転の「中」、「強」時よりも小さくなり、排気ファン３の回転数が少なくなることで換気風量も「中」、「強」時よりも小さくなる。運転モードの「中」、「強」は主に調理の際の油煙を屋外に排出するために使用し、「弱」は常時換気モードとして、部屋全体を常時換気するために使用する。
【００２５】
この常時換気モードにおける換気風量は、部屋の広さや部屋の気密度にもとづいて算出された風量であって、住宅内の建材から発生する有害物質を屋外に排出するため、部屋全体を２４時間連続運転する場合の風量である。
【００２６】
上記構成において、スイッチ５を「弱」に切り替えたときのモーター４の回転速度は、コンデンサー１０の静電容量により変化し、排気ファン３の換気風量も変化する。スイッチ５を「中」、「強」に切り替えたときは、コンデンサー１０の静電容量の影響を受けず、一定の風量で換気することができる。
【００２７】
接続器の設置箇所及び設置方法として、例えば図３に示すように、レンジフード本体２の内部の排気ファンのケーシングの外側でフードの開口面近傍に、先端に接続器の雌を備えたリード線を排気ファンケーシングから５ｃｍ程度引出して、接続器の雌をフード背側面にねじ等で固定し、その接続器の雌に５ｃｍ程度の長さのリード線を介してコンデンサーを接続した接続器の雄を差し込むことで接続器の設置ができる。
【００２８】
接続器の設置箇所及び設置方法については、上記のようにコンデンサを接続した接続器の雄側をいかに簡単に接続できるようにするかがポイントになる。
【００２９】
したがって、上記の接続器の雌側をフードの背側面に付けるのもよいが、背側面以外でもフードの左右側面や前面内側に付ける方法もあり、要は簡単に手の届く範囲のフード開口面近傍の設置位置であればよいことである。
【００３０】
また、上記はフードの内側面に接続器の雄雌を接続することとしているが、フードの外側面で接続器の雄雌の接続ができるようにしても良い。
【００３１】
例えば、接続器の雌をフードの内側面あるいは外側面に取り付け、接続器の雄をフードの外側から差し込む方法もある。
【００３２】
但し、この場合はコンデンサがフードの外側に配置されることになるので、コンデンサやリード線を保護するためのコンデンサカバーを必要とする。
【００３３】
上記のようにすることで、レンジフード本体を組み立てる際に楽に接続器が取り付けられるとともに、上記の方法によると、諸々の設備の設置工事施工時にも簡単に接続器の接続が可能となる。
【００３４】
このように本発明の実施の形態１の換気装置によれば、コンデンサー１０の静電容量を選択してモータの回転数を任意に変えることにより、「弱」の換気風量を、部屋の広さや部屋の気密度に見合った風量に容易に設定することができる。
【００３５】
また、モーターと電源の接続線間に、コンデンサーを直列に接続するための接続器を設け、容易にコンデンサーを変更できるようにしたことにより、換気風量を容易に設定することができる。
【００３６】
また、換気風量を設定するための複数のコンデンサーを付属部品とすることにより、その中からコンデンサーを選択し、換気風量を容易に設定することができる。
【００３７】
また、換気風量を設定するためのコンデンサーを容量可変形コンデンサーとすることにより、コンデンサーを交換することなく、容量可変形コンデンサーの静電容量を選択することにより、換気風量を容易に設定することができる。
【００３８】
なお、実施の形態１では、換気装置として、近年、台所の調理器の上方に必ずといっていいほど設置されるレンジフードとし、住宅の中で最も空気の汚れやすい台所を常時換気の場所としたが、常時換気の換気装置としては建物内の天井に設置される天井埋込形換気扇、壁面に設置される換気扇であってもよく、また、常時換気の場所も、その場所が常時負圧になってもいい場所、あるいは、常時負圧にすべき場所、例えば、トイレや風呂場や洗面所、等でもよい。
【産業上の利用可能性】
【００３９】
本発明は、いわゆるコンデンサーモータを使用した換気装置において、モーターと電源の接続線間に、接続器を用いて簡単にコンデンサーを接続することで、モータの回転数を変えて換気風量を変更設定できるようにしたものであるので、このような方法を使用すれば、コンデンサーモータを使用しているその他の換気装置にも利用可能なものである。  
【図面の簡単な説明】
【００４０】
【図１】本発明の実施の形態１の換気装置を示す断面図
【図２】本発明の実施の形態１の換気装置を示す結線図
【図３】本発明の実施の形態１の換気装置を示す斜視図
【図４】従来の換気装置を示す断面図
【図５】従来の換気装置を示す結線図
【符号の説明】
【００４１】
１  調理器
２  レンジフード本体
３  排気ファン
４  モーター
５  スイッチ
６  電源
７  スイッチの「弱」端子
８  スイッチの「強」端子
９  接続器
１０  コンデンサー
１０１  調理器
１０２  レンジフード本体
１０３  排気ファン
１０４  モーター
１０５  スイッチ
１０６  排気ダクト
【図１】
2005090877.tif 000003
【図２】
2005090877.tif 000004
【図３】
2005090877.tif 000005
【図４】
2005090877.tif 000006
【図５】
2005090877.tif 000007